(57)【特許請求の範囲】
【請求項１】
Ｄ２Ｄ（ｄｅｖｉｃｅ  ｔｏ  ｄｅｖｉｃｅ）通信を支援するＵＥ（ｕｓｅｒ  ｅｑｕｉｐｍｅｎｔ）により同期信号を検出する方法であって、前記方法は、
Ｚａｄｏｆｆ−Ｃｈｕシーケンスに対する複数のルートインデックスを有する第１インデックスセットに基づいてネットワークから送信される第１同期信号を検出することと、
前記第１インデックスセットの前記複数のルートインデックスと違う複数のルートインデックスを有する第２インデックスセットに基づいてＤ２Ｄ同期ソースから送信される第２同期信号を検出することと、
前記第２同期信号に対して使われるルートインデックスに従って前記Ｄ２Ｄ同期ソースがネットワークカバレージ内に位置するか否かを決定することと
を含み、
前記第２インデックスセットのルートインデックスの総個数は、前記第１インデックスセットのルートインデックスの総個数−１に設定され、
前記第１インデックスセットのルートインデックスの総個数は３であり、前記第２インデックスセットのルートインデックスの総個数は２であり、
前記第２インデックスセットの第１ルートインデックスが前記第２同期信号に対して使われる場合に、前記ＵＥは、前記Ｄ２Ｄ同期ソースがネットワークカバレージ内に位置すると決定し、
前記第２インデックスセットの第２ルートインデックスが前記第２同期信号に対して使われる場合に、前記ＵＥは、前記Ｄ２Ｄ同期ソースが前記ネットワークカバレージ外に位置すると決定する、方法。
【請求項２】
前記第１同期信号は、下りリンクリソースにマッピングされたＰＳＳ（ｐｒｉｍａｒｙ  ｓｙｎｃｈｒｏｎｉｚａｔｉｏｎ  ｓｉｇｎａｌ）を含み、前記第２同期信号は、上りリンクリソースにマッピングされたＰＤ２ＤＳＳ（ｐｒｉｍａｒｙ  Ｄ２Ｄ  ｓｙｎｃｈｒｏｎｉｚａｔｉｏｎ  ｓｉｇｎａｌ）を含む、請求項１に記載の方法。
【請求項３】
前記第１同期信号は、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）方式で送信され、前記第２同期信号はＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）方式で送信される、請求項２に記載の方法。
【請求項４】
前記第１インデックスセットは、ルートインデックス‘２５’、‘２９’及び‘３４’を含み、前記第２インデックスセットは、ルートインデックス‘２６’及び‘３７’を含む、請求項３に記載の方法。
【請求項５】
前記第２インデックスセットに含まれる前記第１ルートインデックス及び前記第２ルートインデックスの和は、前記Ｚａｄｏｆｆ−Ｃｈｕシーケンスの長さに対応するように設定される、請求項１に記載の方法。
【請求項６】
前記第２インデックスセットに含まれる前記第１ルートインデックス又は前記第２ルートインデックスは、前記第１インデックスセットに含まれる前記複数のルートインデックスのうちの一つのルートインデックスに対するルート対称属性を有する値に設定される、請求項１に記載の方法。
【請求項７】
前記第１インデックスセットに含まれる所定のルートインデックス及び前記第１ルートインデックスの和は、‘６３’であり、
前記第１インデックスセットに含まれる前記所定のルートインデックス及び前記第２ルートインデックスの和は、‘６３’ではない、請求項６に記載の方法。
【請求項８】
前記第２同期信号の検出は、前記第１同期信号の検出が失敗する場合に行なわれる、請求項１〜７のうちの一項に記載の方法。
【請求項９】
前記第１同期信号の検出及び前記第２同期信号の検出の両方が失敗する場合に、前記第２インデックスセットに基づいて前記第２同期信号を送信することをさらに含む、請求項８に記載の方法。
【請求項１０】
Ｄ２Ｄ（ｄｅｖｉｃｅ  ｔｏ  ｄｅｖｉｃｅ）通信を支援するＵＥ（ｕｓｅｒ  ｅｑｕｉｐｍｅｎｔ）であって、前記ＵＥは、
ＲＦ（ｒａｄｉｏ  ｆｒｅｑｕｅｎｃｙ）信号を受信する受信機と、
前記受信機を制御するプロセッサと
を含み、
前記プロセッサは、Ｚａｄｏｆｆ−Ｃｈｕシーケンスに対する複数のルートインデックスを有する第１インデックスセットに基づいてネットワークから送信される第１同期信号を検出し、前記第１インデックスセットの前記複数のルートインデックスと違う複数のルートインデックスを有する第２インデックスセットに基づいてＤ２Ｄ同期ソースから送信される第２同期信号を検出し、前記第２同期信号に対して使われるルートインデックスに従って前記Ｄ２Ｄ同期ソースがネットワークカバレージ内に位置するか否かを決定し、
前記第２インデックスセットのルートインデックスの総個数は、前記第１インデックスセットのルートインデックスの総個数−１に設定され、
前記第１インデックスセットのルートインデックスの総個数は３であり、前記第２インデックスセットのルートインデックスの総個数は２であり、
前記第２インデックスセットの第１ルートインデックスが前記第２同期信号に対して使われる場合に、前記ＵＥは、前記Ｄ２Ｄ同期ソースがネットワークカバレージ内に位置すると決定し、
前記第２インデックスセットの第２ルートインデックスが前記第２同期信号に対して使われる場合に、前記ＵＥは、前記Ｄ２Ｄ同期ソースが前記ネットワークカバレージ外に位置すると決定する、ＵＥ。
【請求項１１】
前記第２同期信号を検出するときにおいて、前記第１ルートインデックスは、前記第２ルートインデックスよりも高い優先順位を有する、請求項７に記載の方法。
【請求項１２】
前記第２同期信号を検出することは、
前記第１ルートインデックスを使って前記第２同期信号の検出を試みることと、
前記ＵＥが前記第１ルートインデックスを使った前記第２同期信号の検出に失敗した場合に、前記第２ルートインデックスを使って前記第２同期信号の検出を試みることと
を含む、請求項１１に記載の方法。
【請求項１３】
前記第２同期信号の強度が閾値よりも低く、かつ、前記ＵＥが前記ネットワークカバレージ外に位置する場合に、前記ＵＥは、新たなＤ２Ｄ同期ソースになると決定する、請求項１２に記載の方法。
【発明の詳細な説明】
【技術分野】
【０００１】
本発明は無線通信システムに係り、より詳しくはＤ２Ｄ通信を支援する端末が同期信号を受信又は送信する方法に関するものである。
【背景技術】
【０００２】
無線通信システムが音声やデータなどのような様々な通信サービスを提供するために広範囲に展開されている。一般に、無線通信システムは、可用のシステムリソース（帯域幅、送信電力など）を共有して複数ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
装置対装置（Ｄｅｖｉｃｅ−ｔｏ−Ｄｅｖｉｃｅ；Ｄ２Ｄ）通信とは、端末（Ｕｓｅｒ  Ｅｑｕｉｐｍｅｎｔ；ＵＥ）間に直接的なリンクを設定し、基地局（ｅｖｏｌｖｅｄ  ＮｏｄｅＢ；ｅＮＢ）の介入無しで端末間に音声、データなどを直接やり取りする通信方式のことをいう。Ｄ２Ｄ通信は、端末−対−端末（ＵＥ−ｔｏ−ＵＥ）通信、ピア−対−ピア（Ｐｅｅｒ−ｔｏ−Ｐｅｅｒ）通信などの方式を含むことができる。また、Ｄ２Ｄ通信方式は、Ｍ２Ｍ（Ｍａｃｈｉｎｅ−ｔｏ−Ｍａｃｈｉｎｅ）通信、ＭＴＣ（Ｍａｃｈｉｎｅ  Ｔｙｐｅ  Ｃｏｍｍｕｎｉｃａｔｉｏｎ）などに応用することができる。
【０００４】
Ｄ２Ｄ通信は、急増しているデータトラフィックによる基地局の負担を解決可能な一つの方案として考慮されている。例えば、Ｄ２Ｄ通信によれば、既存の無線通信システムと違い、基地局の介入無しで装置間にデータをやり取りするので、ネットワークの過負荷が減る。また、Ｄ２Ｄ通信を導入することによって、基地局における手順の減少、Ｄ２Ｄに参加する装置の消費電力の低減、データ送信速度の増加、ネットワークの収容能力の増大、負荷の分散、セルカバレージの拡大などの効果を期待することができる。
【発明の概要】
【発明が解決しようとする課題】
【０００５】
本発明が達成しようとする技術的課題はＤ２Ｄ通信を支援する端末がＤ２Ｄ同期信号を送受信することによってＤ２Ｄ同期化を遂行する方法を提供することにある。
【０００６】
本発明が達成しようとする技術的課題は以上で言及した技術的課題に制限されなく、言及しなかった他の技術的課題は下記の記載から本発明が属する技術分野で通常の知識を有する者に明らかに理解可能であろう。
【課題を解決するための手段】
【０００７】
上述した技術的課題を解決するための本発明の一態様によるＤ２Ｄ（ｄｅｖｉｃｅ  ｔｏ  ｄｅｖｉｃｅ）通信を支援する端末が同期信号を検出する方法は、ザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を行う段階；及び前記第１インデックスセットと違う多数のルートインデックスを有する第２インデックスセットに基づいてＤ２Ｄ同期ソース（ｓｙｎｃｈｒｏｎｉｚａｔｉｏｎ  ｓｏｕｒｃｅ）が送信する第２同期信号の検出を行う段階を含み、前記第２インデックスセットのルートインデックスの総個数は、前記第１インデックスセットのルートインデックスの総個数−１に設定する。
【０００８】
好ましくは、前記第２インデックスセットに含まれた第１ルートインデックスは前記Ｄ２Ｄ同期ソースが前記ネットワークのカバレージ外に位置することを指示し、前記第２インデックスセットに含まれた第２ルートインデックスは前記Ｄ２Ｄ同期ソースが前記ネットワークのカバレージ内に位置することを指示することができる。
【０００９】
好ましくは、前記第１同期信は下りリンクリソースにマッピングされたＰＳＳ（ｐｒｉｍａｒｙ  ｓｙｎｃｈｒｏｎｉｚａｔｉｏｎ  ｓｉｇｎａｌ）を含み、前記第２同期信は上りリンクリソースにマッピングされたＰＤ２ＤＳＳ（ｐｒｉｍａｒｙ  Ｄ２Ｄ  ｓｙｎｃｈｒｏｎｉｚａｔｉｏｎ  ｓｉｇｎａｌ）を含むことができる。
【００１０】
好ましくは、前記第１同期信はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）方式で送信し、前記第２同期信はＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）方式で送信することができる。
【００１１】
好ましくは、前記第１インデックスセットのルートインデックスの総個数は３に、前記第２インデックスセットのルートインデックスの総個数は２に設定することができる。
【００１２】
好ましくは、前記第１インデックスセットはルートインデックス‘２５’、‘２９’及び‘３４’を含み、前記第２インデックスセットはルートインデックス‘２６’及び‘３７’を含むことができる。
【００１３】
好ましくは、前記第２インデックスセットに含まれた第１ルートインデックスと第２ルートインデックスの和が前記ザドフチューシーケンスの長さに対応するように設定することができる。
【００１４】
好ましくは、前記第２インデックスセットに含まれた多数のルートインデックスの少なくとも一つは前記第１インデックスセットに含まれた多数のルートインデックスの少なくとも一つとルート対称属性（ｒｏｏｔ  ｓｙｍｍｅｔｒｉｃ  ｐｒｏｐｅｒｔｙ）を有する値に設定することができる。
【００１５】
好ましくは、前記第２インデックスセットに含まれた多数のルートインデックスの中で前記第１インデックスセットに含まれた所定のルートインデックスとの和が‘６３’となる第１ルートインデックスは前記ネットワークのカバレージ内で使い、前記第２インデックスセットに含まれた多数のルートインデックスの中で前記第１インデックスセットに含まれた前記所定のルートインデックスとの和が‘６３’ではない第２ルートインデックスは前記ネットワークのカバレージ外で使うことができる。
【００１６】
好ましくは、前記第２同期信号の検出は前記第１同期信号の検出が失敗する場合に行うことができる。
【００１７】
好ましくは、前記第１同期信号の検出及び前記第２同期信号の検出が全て失敗する場合、前記第２インデックスセットに基づいて前記第２同期信号を送信する段階をさらに含むことができる。
【００１８】
上述した技術的課題を達成するための本発明の他の態様によるＤ２Ｄ（ｄｅｖｉｃｅ  ｔｏ  ｄｅｖｉｃｅ）通信を支援する端末がＤ２Ｄ同期信号を送信する方法は、ザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を行う段階；前記第１インデックスセットと違う多数のルートインデックスを有する第２インデックスセットに基づいて第２同期信号を生成する段階；及び前記生成された第２同期信号を送信する段階を含み、前記第２インデックスセットのルートインデックスの総個数は、前記第１インデックスセットのルートインデックスの総個数−１に設定する。
【００１９】
好ましくは、前記第２同期信号を生成する段階は、前記端末が前記ネットワークのカバレージ外に位置する場合、前記第２インデックスセットに含まれた第１ルートインデックスを用いて前記第２同期信号を生成し、前記端末が前記ネットワークのカバレージ内に位置する場合、前記第２インデックスセットに含まれた第２ルートインデックスを用いて前記第２同期信号を生成することができる。
【００２０】
上述した技術的課題を達成するための本発明のさらに他の態様によるＤ２Ｄ（ｄｅｖｉｃｅ  ｔｏ  ｄｅｖｉｃｅ）通信を支援する端末は、ＲＦ（ｒａｄｉｏ  ｆｒｅｑｕｅｎｃｙ）信号を受信する受信機；及び前記受信機を制御するプロセッサを含み、前記プロセッサは、ザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を遂行し、前記第１インデックスセットと違う多数のルートインデックスを有する第２インデックスセットに基づいてＤ２Ｄ同期ソース（ｓｙｎｃｈｒｏｎｉｚａｔｉｏｎ  ｓｏｕｒｃｅ）が送信する第２同期信号の検出を遂行し、前記第２インデックスセットのルートインデックスの総個数は、前記第１インデックスセットのルートインデックスの総個数−１に設定される。
【００２１】
上述した技術的課題を達成するための本発明のさらに他の態様によるＤ２Ｄ（ｄｅｖｉｃｅ  ｔｏ  ｄｅｖｉｃｅ）通信を支援する端末は、ザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を遂行し、前記第１インデックスセットと違う多数のルートインデックスを有する第２インデックスセットに基づいて第２同期信号を生成するプロセッサ；及び前記生成された第２同期信号を送信する送信機を含み、前記第２インデックスセットのルートインデックスの総個数は、前記第１インデックスセットのルートインデックスの総個数−１に設定される。
本明細書は、例えば、以下の項目も提供する。
（項目１）
Ｄ２Ｄ（ｄｅｖｉｃｅ  ｔｏ  ｄｅｖｉｃｅ）通信を支援する端末が同期信号を検出する方法であって、
ザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を行う段階；及び
前記第１インデックスセットと違う多数のルートインデックスを有する第２インデックスセットに基づいてＤ２Ｄ同期ソース（ｓｙｎｃｈｒｏｎｉｚａｔｉｏｎ  ｓｏｕｒｃｅ）が送信する第２同期信号の検出を行う段階を含み、
前記第２インデックスセットのルートインデックスの総個数は、前記第１インデックスセットのルートインデックスの総個数−１に設定する、方法。
（項目２）
前記第２インデックスセットに含まれた第１ルートインデックスは前記Ｄ２Ｄ同期ソースが前記ネットワークのカバレージ外に位置することを指示し、前記第２インデックスセットに含まれた第２ルートインデックスは前記Ｄ２Ｄ同期ソースが前記ネットワークのカバレージ内に位置することを指示する、項目１に記載の方法。
（項目３）
前記第１同期信号は下りリンクリソースにマッピングされたＰＳＳ（ｐｒｉｍａｒｙ  ｓｙｎｃｈｒｏｎｉｚａｔｉｏｎ  ｓｉｇｎａｌ）を含み、前記第２同期信号は上りリンクリソースにマッピングされたＰＤ２ＤＳＳ（ｐｒｉｍａｒｙ  Ｄ２Ｄ  ｓｙｎｃｈｒｏｎｉｚａｔｉｏｎ  ｓｉｇｎａｌ）を含む、項目１に記載の方法。
（項目４）
前記第１同期信号はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）方式で送信し、前記第２同期信号はＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）方式で送信する、項目１に記載の方法。
（項目５）
前記第１インデックスセットのルートインデックスの総個数は３に、前記第２インデックスセットのルートインデックスの総個数は２に設定する、項目１に記載の方法。
（項目６）
前記第１インデックスセットはルートインデックス‘２５’、‘２９’及び‘３４’を含み、前記第２インデックスセットはルートインデックス‘２６’及び‘３７’を含む、項目１に記載の方法。
（項目７）
前記第２インデックスセットに含まれた第１ルートインデックスと第２ルートインデックスの和が前記ザドフチューシーケンスの長さに対応するように設定する、項目１に記載の方法。
（項目８）
前記第２インデックスセットに含まれた多数のルートインデックスの少なくとも一つは前記第１インデックスセットに含まれた多数のルートインデックスの少なくとも一つとルート対称属性（ｒｏｏｔ  ｓｙｍｍｅｔｒｉｃ  ｐｒｏｐｅｒｔｙ）を有する値に設定する、項目１に記載の方法。
（項目９）
前記第２インデックスセットに含まれた多数のルートインデックスの中で前記第１インデックスセットに含まれた所定のルートインデックスとの和が‘６３’となる第１ルートインデックスは前記ネットワークのカバレージ内で使い、
前記第２インデックスセットに含まれた多数のルートインデックスの中で前記第１インデックスセットに含まれた前記所定のルートインデックスとの和が‘６３’ではない第２ルートインデックスは前記ネットワークのカバレージ外で使う、項目１に記載の方法。
（項目１０）
前記第２同期信号の検出は前記第１同期信号の検出が失敗する場合に行う、項目１に記載の方法。
（項目１１）
前記第１同期信号の検出及び前記第２同期信号の検出が全て失敗する場合、前記第２インデックスセットに基づいて前記第２同期信号を送信する段階をさらに含む、項目１に記載の方法。
（項目１２）
Ｄ２Ｄ（ｄｅｖｉｃｅ  ｔｏ  ｄｅｖｉｃｅ）通信を支援する端末がＤ２Ｄ同期信号を送信する方法であって、
ザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を行う段階；
前記第１インデックスセットと違う多数のルートインデックスを有する第２インデックスセットに基づいて第２同期信号を生成する段階；及び
前記生成された第２同期信号を送信する段階を含み、
前記第２インデックスセットのルートインデックスの総個数は、前記第１インデックスセットのルートインデックスの総個数−１に設定する、方法。
（項目１３）
前記第２同期信号を生成する段階は、
前記端末が前記ネットワークのカバレージ外に位置する場合、前記第２インデックスセットに含まれた第１ルートインデックスを用いて前記第２同期信号を生成し、前記端末が前記ネットワークのカバレージ内に位置する場合、前記第２インデックスセットに含まれた第２ルートインデックスを用いて前記第２同期信号を生成する、項目１に記載の方法。
（項目１４）
Ｄ２Ｄ（ｄｅｖｉｃｅ  ｔｏ  ｄｅｖｉｃｅ）通信を支援する端末であって、
ＲＦ（ｒａｄｉｏ  ｆｒｅｑｕｅｎｃｙ）信号を受信する受信機；及び
前記受信機を制御するプロセッサを含み、
前記プロセッサは、ザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を遂行し、前記第１インデックスセットと違う多数のルートインデックスを有する第２インデックスセットに基づいてＤ２Ｄ同期ソース（ｓｙｎｃｈｒｏｎｉｚａｔｉｏｎ  ｓｏｕｒｃｅ）が送信する第２同期信号の検出を遂行し、
前記第２インデックスセットのルートインデックスの総個数は、前記第１インデックスセットのルートインデックスの総個数−１に設定される、端末。
（項目１５）
Ｄ２Ｄ（ｄｅｖｉｃｅ  ｔｏ  ｄｅｖｉｃｅ）通信を支援する端末であって、
ザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を遂行し、前記第１インデックスセットと違う多数のルートインデックスを有する第２インデックスセットに基づいて第２同期信号を生成するプロセッサ；及び
前記生成された第２同期信号を送信する送信機を含み、
前記第２インデックスセットのルートインデックスの総個数は、前記第１インデックスセットのルートインデックスの総個数−１に設定される、端末。
【発明の効果】
【００２２】
本発明の一実施例によると、ＰＳＳのルートインデックスと違って定義されたＤ２Ｄ同期信号のルートインデックスによってカバレージ内ソースとカバレージ外ソースが区別されることにより、Ｄ２Ｄ通信を支援する端末がＤ２Ｄ同期化を効率的に遂行することができる。
【００２３】
本発明で得られる効果は以上で言及した効果に制限されなく、言及しなかった他の効果は下記の記載から本発明が属する技術分野で通常の知識を有する者に明らかに理解可能であろう。
【図面の簡単な説明】
【００２４】
本明細書に添付される図面は本発明の理解のために提供するもので、本発明の多様な実施形態を示し、明細書の記載と一緒に本発明の原理を説明するためのものである。
【００２５】
【図１】無線フレームの構造を示す図である。
【図２】下りリンクスロットにおけるリソースグリッド（ｒｅｓｏｕｒｃｅ  ｇｒｉｄ）を示す図である。
【図３】下りリンクサブフレームの構造を示す図である。
【図４】上りリンクサブフレームの構造を示す図である。
【図５】多重アンテナを有する無線通信システムの構成図である。
【図６】３ＧＰＰシステムのＰＳＳ及びＳＳＳを示す図である。
【図７】３ＧＰＰシステムのＰＢＣＨを示す図である。
【図８】３ＧＰＰシステムの初期接続手順及び信号送受信方法を説明するための図である。
【図９】本発明の一実施例によるＤ２Ｄ通信を説明するための図である。
【図１０】本発明の一実施例による同期信号の送受信方法を説明するための図である。
【図１１】本発明の一実施例による送受信装置の構成を示す図である。
【発明を実施するための形態】
【００２６】
以下の実施例は、本発明の構成要素及び特徴を所定の形態で結合したものである。各構成要素又は特徴は、別に明示しない限り、選択的なものとして考慮されてもよい。各構成要素又は特徴は、他の構成要素や特徴と結合しない形態で実施されてもよく、また、一部の構成要素及び／又は特徴は結合されて本発明の実施例を構成してもよい。本発明の実施例で説明される動作の順序は変更されてもよい。ある実施例の一部の構成や特徴は、他の実施例に含まれてもよく、他の実施例の対応する構成又は特徴に代えてもよい。
【００２７】
本明細書では、本発明の実施例を、基地局と端末間におけるデータ送受信の関係を中心に説明する。ここで、基地局は、端末と直接に通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われてもよい。
【００２８】
すなわち、基地局を含む複数のネットワークノード（ｎｅｔｗｏｒｋ  ｎｏｄｅｓ）で構成されるネットワークにおいて、端末との通信のために行われる様々な動作は、基地局、又は基地局以外の他のネットワークノードにより行われるということは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。中継機は、Ｒｅｌａｙ  Ｎｏｄｅ（ＲＮ）、Ｒｅｌａｙ  Ｓｔａｔｉｏｎ（ＲＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００２９】
以下に記述されるセルの名称は、基地局（ｂａｓｅ  ｓｔａｔｉｏｎ、ｅＮＢ）、セクタ（ｓｅｃｔｏｒ）、リモートラジオヘッド（ｒｅｍｏｔｅ  ｒａｄｉｏ  ｈｅａｄ、ＲＲＨ）、リレー（ｒｅｌａｙ）などの送受信ポイントに適用され、また、特定送受信ポイントで構成搬送波（ｃｏｍｐｏｎｅｎｔ  ｃａｒｒｉｅｒ）を区分するための包括的な用語で使われてもよい。
【００３０】
以下の説明で使われる特定用語は、本発明の理解を助けるために提供されたもので、これらの特定用語の使用は、本発明の技術的思想から逸脱することなく他の形態に変更されてもよい。
【００３１】
場合によっては、本発明の概念が曖昧になることを避けるために、公知の構造及び装置を省略したり、各構造及び装置の核心機能を中心にしたブロック図の形式で示すこともできる。また、本明細書全体を通じて同一の構成要素には同一の図面符号を付して説明する。
【００３２】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることができる。すなわち、本発明の実施例において本発明の技術的思想を明確にするために説明していない段階又は部分は、上記の標準文書でサポートすることができる。なお、本文書で開示している全ての用語は、上記の標準文書によって説明することができる。
【００３３】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２。１１（Ｗｉ−Ｆｉ）、ＩＥＥＥ  ８０２。１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２。１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２。１６ｍ規格（ＷｉｒｅｌｅｓｓＭＡＮ−ＯＦＤＭＡ  Ａｄｖａｎｃｅｄ  ｓｙｓｔｅｍ）によって説明することができる。明確性のために、以下では、３ＧＰＰ  ＬＴＥ及びＬＴＥ−Ａシステムを中心に説明するが、本発明の技術的思想はこれに制限されない。
【００３４】
ＬＴＡ／ＬＴＡ−Ａリソース構造／チャネル
図１を参照して無線フレームの構造について説明する。
【００３５】
セルラーＯＦＤＭ無線パケット通信システムにおいて、上り／下りリンク信号パケット送信はサブフレーム（ｓｕｂｆｒａｍｅ）単位に行われ、１サブフレームは、複数のＯＦＤＭシンボルを含む一定の時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００３６】
図１（ａ）は、タイプ１無線フレームの構造を例示する図である。下りリンク無線フレームは１０個のサブフレームで構成され、１個のサブフレームは時間領域（ｔｉｍｅ  ｄｏｍａｉｎ）において２個のスロット（ｓｌｏｔ）で構成される。１個のサブフレームを送信するためにかかる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０。５ｍｓであってよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムでは、下りリンクでＯＦＤＭＡを用いているため、ＯＦＤＭシンボルが１シンボル区間を表す。ＯＦＤＭシンボルは、ＳＣ−ＦＤＭＡシンボル又はシンボル区間と呼ぶこともできる。リソースブロック（ＲＢ）はリソース割当て単位であり、１スロットにおいて複数個の連続した副搬送波（ｓｕｂｃａｒｒｉｅｒ）を含むことができる。
【００３７】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なってもよい。ＣＰには、拡張ＣＰ（ｅｘｔｅｎｄｅｄ  ＣＰ）及び一般ＣＰ（ｎｏｒｍａｌ  ＣＰ）がある。例えば、ＯＦＤＭシンボルが一般ＣＰによって構成された場合、１スロットに含まれるＯＦＤＭシンボルの数は７個であってよい。ＯＦＤＭシンボルが拡張ＣＰによって構成された場合、１  ＯＦＤＭシンボルの長さが増加するため、１スロットに含まれるＯＦＤＭシンボルの数は、一般ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合は、シンボル間干渉をより減らすために、拡張ＣＰを用いることができる。
【００３８】
一般ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３９】
図１（ｂ）は、タイプ２無線フレームの構造を示す図である。タイプ２無線フレームは、２ハーフフレーム（ｈａｌｆ  ｆｒａｍｅ）で構成される。各ハーフフレームは、５サブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）、及びＵｐＰＴＳ（Ｕｐｌｉｎｋ  Ｐｉｌｏｔ  Ｔｉｍｅ  Ｓｌｏｔ）で構成され、ここで、１サブフレームは２スロットで構成される。ＤｗＰＴＳは、端末での初期セル探索、同期化又はチャネル推定に用いられる。ＵｐＰＴＳは、基地局でのチャネル推定と端末の上り送信同期を取るために用いられる。保護区間は、上りリンク及び下りリンク間に下りリンク信号の多重経路遅延によって上りリンクで生じる干渉を除去するための区間である。一方、無線フレームのタイプにかかわらず、１個のサブフレームは２個のスロットで構成される。
【００４０】
無線フレームの構造は例示に過ぎず、無線フレームに含まれるサブフレームの数、サブフレームに含まれるスロットの数、又はスロットに含まれるシンボルの数は様々に変更されてもよい。
【００４１】
図２は、下りリンクスロットにおけるリソースグリッド（ｒｅｓｏｕｒｃｅ  ｇｒｉｄ）を示す図である。同図で、１下りリンクスロットは時間領域で７個のＯＦＤＭシンボルを含み、１リソースブロック（ＲＢ）は周波数領域で１２個の副搬送波を含むとしたが、本発明はこれに制限されない。例えば、一般ＣＰ（ｎｏｒｍａｌ−Ｃｙｃｌｉｃ  Ｐｒｅｆｉｘ）では１スロットが７  ＯＦＤＭシンボルを含むが、拡張ＣＰ（ｅｘｔｅｎｄｅｄ−ＣＰ）では１スロットが６  ＯＦＤＭシンボルを含んでもよい。リソースグリッド上のそれぞれの要素をリソース要素（ｒｅｓｏｕｒｃｅ  ｅｌｅｍｅｎｔ）と呼ぶ。１リソースブロックは１２×７個のリソース要素を含む。下りリンクスロットに含まれるリソースブロックの個数ＮＤＬは、下り送信帯域幅による。上りリンクスロットは下りリンクスロットと同一の構造を有することができる。
【００４２】
図３は、下りリンクサブフレームの構造を示す図である。１サブフレーム内で第１のスロットにおける先頭部の最大３個のＯＦＤＭシンボルは、制御チャネルが割り当てられる制御領域に該当する。残りのＯＦＤＭシンボルは、物理下り共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムで用いられる下り制御チャネルには、例えば、物理制御フォーマット指示子チャネル（Ｐｈｙｓｉｃａｌ  Ｃｏｎｔｒｏｌ  Ｆｏｒｍａｔ  ＩｎｄｉｃａｔｏｒＣｈａｎｎｅｌ；ＰＣＦＩＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ  ＡＣＫ／ＮＡＣＫ信号を含む。ＰＤＣＣＨで送信される制御情報を、下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクスケジューリング情報を含んだり、任意の端末グループに対する上り送信電力制御命令を含む。ＰＤＣＣＨは、下り共有チャネル（ＤＬ−ＳＣＨ）のリソース割当て及び送信フォーマット、上り共有チャネル（ＵＬ−ＳＣＨ）のリソース割当て情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当て、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信されてもよく、端末は複数のＰＤＣＣＨをモニタすることができる。ＰＤＣＣＨは一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当て単位である。ＣＣＥは、複数個のリソース要素グループに対応する。ＰＤＣＣＨのフォーマットと利用可能なビット数は、ＣＣＥの個数とＣＣＥによって提供されるコーディングレート間の相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００４３】
図４は、上りリンクサブフレームの構造を示す図である。上りリンクサブフレームは、周波数領域で制御領域とデータ領域とに区別できる。制御領域には上りリンク制御情報を含む物理上り制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザーデータを含む物理上り共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットに対して互いに異なった副搬送波を占める。これを、ＰＵＣＣＨに割り当てられるリソースブロック対がスロット境界で周波数−ホップ（ｆｒｅｑｕｅｎｃｙ−ｈｏｐｐｅｄ）するという。
【００４４】
参照信号（Ｒｅｆｅｒｅｎｃｅ  Ｓｉｇｎａｌ；ＲＳ）
無線通信システムでパケットを送信する際、送信されるパケットは無線チャネルを介して送信されるため、送信過程で信号の歪みが発生し得る。歪まれた信号を受信側で正しく受信するためには、チャネル情報を用いて受信信号から歪みを補正しなければならない。チャネル情報を把握するために、送信側も受信側も知っている信号を送信し、該信号がチャネルを介して受信される際の歪み程度を用いてチャネル情報を得る方法を主に用いる。該信号をパイロット信号（Ｐｉｌｏｔ  Ｓｉｇｎａｌ）又は参照信号（Ｒｅｆｅｒｅｎｃｅ  Ｓｉｇｎａｌ）という。
【００４５】
多重アンテナを使ってデータを送受信する場合には、それぞれの送信アンテナと受信アンテナの間のチャネル状況を探し出すことによって正しい信号を受信することができる。よって、各送信アンテナ別に、より詳しくはアンテナポート（アンテナポート）別に別途の参照信号が存在しなければならない。
【００４６】
参照信号は上りリンク参照信号と下りリンク参照信号に区分できる。現在、ＬＴＥシステムには、上りリンク参照信号として、
ｉ）ＰＵＳＣＨ及びＰＵＣＣＨを介して送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ、ＤＭ−ＲＳ）、及び
ｉｉ）基地局が、ネットワークが他の周波数での上りリンクチャネルの品質を測定するためのサウンディング参照信号（Ｓｏｕｎｄｉｎｇ  Ｒｅｆｅｒｅｎｃｅ  Ｓｉｇｎａｌ、ＳＲＳ）がある。
【００４７】
一方、下りリンク参照信号には、
ｉ）セル内の全ての端末が共有するセル特定参照信号（Ｃｅｌｌ−ｓｐｅｃｉｆｉｃ  Ｒｅｆｅｒｅｎｃｅ  Ｓｉｇｎａｌ、ＣＲＳ）、
ｉｉ）特定端末のみのための端末特定参照信号（ＵＥ−ｓｐｅｃｉｆｉｃ  Ｒｅｆｅｒｅｎｃｅ  Ｓｉｇｎａｌ）
ｉｉｉ）ＰＤＳＣＨが送信される場合、コヒーレントな復調のために送信される（ＤｅＭｏｄｕｌａｔｉｏｎ−Ｒｅｆｅｒｅｎｃｅ  Ｓｉｇｎａｌ、ＤＭ−ＲＳ）、
ｉｖ）下りリンクＤＭＲＳが送信される場合、チャネル状態情報（Ｃｈａｎｎｅｌ  Ｓｔａｔｅ  Ｉｎｆｏｒｍａｔｉｏｎ；ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）、
ｖ）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）、及び
ｖｉ）端末の地理的位置情報を推正するのに用いられる位置参照信号（Ｐｏｓｉｔｉｏｎｉｎｇ  Ｒｅｆｅｒｅｎｃｅ  Ｓｉｇｎａｌ）がある。
【００４８】
参照信号は、その目的によって、二つに大別することができる。チャネル情報獲得のための目的の参照信号とデータ復調のために用いられる参照信号がある。前者はＵＥが下りリンクへのチャネル情報を獲得するのにその目的があるので、広帯域で送信されなければならなく、特定のサブフレームで下りリンクデータを受信しない端末であってもその参照信号を受信しなければならない。また、これはハンドオーバーなどの状況にも用いられる。後者は基地局が下りリンクを送信するときに該当のリソースに一緒に送信する参照信号で、端末は該当の参照信号を受信することで、チャネルを測定してデータを復調することができるようになる。この参照信号はデータが送信される領域に送信されなければならない。
【００４９】
多重アンテナ（ＭＩＭＯ）システムのモデリング
図５は多重アンテナを有する無線通信システムの構成図である。
【００５０】
図５（ａ）に示したように、送信アンテナの数をＮＴ個に、受信アンテナの数をＮＲ個に増やせば、送信機又は受信機でだけ多数のアンテナを使う場合とは違い、アンテナ数に比例して理論的なチャネル送信容量が増加する。したがって、送信レートを向上させ、周波数効率を画期的に向上させることができる。チャネル送信容量が増加するに従い、送信レートは理論的に単一アンテナの利用時の最大送信レート（Ｒｏ）にレート増加率（Ｒｉ）が掛けられた分だけ増加することができる。
【数１】
0006325739.tif 000002
【００５１】
例えば、４個の送信アンテナと４個の受信アンテナを用いるＭＩＭＯ通信システムでは、単一アンテナシステムに比べて理論上４倍の送信レートを獲得することができる。多重アンテナシステムの理論的容量の増加が９０年代中盤に証明された以後、実質的にデータ送信率を向上させるための多様な技術が現在まで活発に研究されている。また、いくつかの技術は既に３世代移動通信と次世代無線ＬＡＮなどの多様な無線通信の標準に反映されている。
【００５２】
現在までの多重アンテナ関連研究動向を調べると、多様なチャネル環境及び多重接続環境での多重アンテナ通信容量計算などについての情報理論側面研究、多重アンテナシステムの無線チャネル測定及び模型導出研究、送信信頼度向上及び送信率向上のための視空間信号処理技術研究など、多様な観点で活発な研究が進行されている。
【００５３】
多重アンテナシステムにおける通信方法を数学的モデリングを用いてより具体的に説明する。前記システムにはＮＴ個の送信アンテナとＮＲ個の受信アンテナが存在すると仮定する。
【００５４】
送信信号を調べると、ＮＴ個の送信アンテナがある場合、送信可能な最大情報はＮＴ個である。送信情報は次のように表現できる。
【数２】
0006325739.tif 000003
【００５５】
それぞれの送信情報
【化１】
0006325739.tif 000004
は送信電力が互いに違うことができる。それぞれの送信電力を
【化２】
0006325739.tif 000005
とすると、送信電力が調整された送信情報は次のように表現できる。
【数３】
0006325739.tif 000006
【００５６】
また、
【化３】
0006325739.tif 000007
は送信電力の対角行列
【化４】
0006325739.tif 000008
を用いて次のように表現できる。
【数４】
0006325739.tif 000009
【００５７】
送信電力が調整された情報ベクター
【化５】
0006325739.tif 000010
に加重値行列
【化６】
0006325739.tif 000011
が適用されて実際に送信されるＮＴ個の送信信号
【化７】
0006325739.tif 000012
が構成される場合を考慮して見よう。加重値行列
【化８】
0006325739.tif 000013
は送信情報を送信チャネル状況などによって各アンテナに適切に分配する役目をする。
【化９】
0006325739.tif 000014
はベクター
【化１０】
0006325739.tif 000015
を用いて次のように表現することができる。
【数５】
0006325739.tif 000016
【００５８】
ここで、
【化１１】
0006325739.tif 000017
はｉ番目送信アンテナとｊ番目情報の間の加重値を意味する。
【化１２】
0006325739.tif 000018
はプリコーディング行列とも呼ばれる。
【００５９】
受信信号は、ＮＲ個の受信アンテナがある場合、各アンテナの受信信号
【化１３】
0006325739.tif 000019
はベクターで次のように表現できる。
【数６】
0006325739.tif 000020
【００６０】
多重アンテナ無線通信システムでチャネルをモデリングする場合、チャネルは送受信アンテナインデックスによって区分できる。送信アンテナｊから受信アンテナｉを経るチャネルを
【化１４】
0006325739.tif 000021
で表示する。
【化１５】
0006325739.tif 000022
において、インデックスの手順が、受信アンテナインデックスが先で、送信アンテナのインデックスが後であることに留意する。
【００６１】
一方、図５（ｂ）はＮＴ個の送信アンテナから受信アンテナｉへのチャネルを示す図である。前記チャネルを束ねてベクター及び行列の形態に表示することができる。図５（ｂ）で、全部ＮＴ個の送信アンテナから受信アンテナｉに到着するチャネルは次のように示すことができる。
【数７】
0006325739.tif 000023
【００６２】
したがって、ＮＴ個の送信アンテナからＮＲ個の受信アンテナに到着する全てのチャネルは次のように表現できる。
【数８】
0006325739.tif 000024
【００６３】
実際のチャネルには、チャネル行列
【化１６】
0006325739.tif 000025
を経た後に白色雑音（ＡＷＧＮ；Ａｄｄｉｔｉｖｅ  Ｗｈｉｔｅ  Ｇａｕｓｓｉａｎ  Ｎｏｉｓｅ）が加わる。ＮＲ個の受信アンテナのそれぞれに加わる白色雑音
【化１７】
0006325739.tif 000026
は次のように表現できる。
【数９】
0006325739.tif 000027
【００６４】
前述した数式モデリングによって受信信号は次のように表現できる。
【数１０】
0006325739.tif 000028
【００６５】
一方、チャネル状態を示すチャネル行列
【化１８】
0006325739.tif 000029
の行と列の数は送受信アンテナの数によって決定される。チャネル行列
【化１９】
0006325739.tif 000030
において行の数は受信アンテナの数ＮＲと同一であり、列の数は送信アンテナの数ＮＴと同一である。すなわち、チャネル行列
【化２０】
0006325739.tif 000031
は行列がＮＲ×ＮＴとなる。
【００６６】
行列のランク（ｒａｎｋ）は互いに独立した（ｉｎｄｅｐｅｎｄｅｎｔ）行又は列の個数の中で最小個数に定義される。よって、行列のランクは行又は列の個数より大きくなることができない。チャネル行列
【化２１】
0006325739.tif 000032
のランク
【化２２】
0006325739.tif 000033
は次のように制限される。
【数１１】
0006325739.tif 000034
【００６７】
ランクの他の定義は行列を固有値分解（Ｅｉｇｅｎ  ｖａｌｕｅ  ｄｅｃｏｍｐｏｓｉｔｉｏｎ）したとき、０でない固有値の個数に定義することができる。同様に、ランクのさらに他の定義は特異値分解（ｓｉｎｇｕｌａｒ  ｖａｌｕｅ  ｄｅｃｏｍｐｏｓｉｔｉｏｎ）したとき、０でない特異値の個数に定義することができる。したがって、チャネル行列においてランクの物理的な意味は与えられたチャネルで互いに異なる情報を送信することができる最大数であると言える。
【００６８】
ＰＳＳ（Ｐｒｉｍａｒｙ  ｓｙｎｃｈｒｏｎｏｕｓ  ｓｉｇｎａｌ）／ＳＳＳ（Ｓｅｃｏｎｄａｒｙ  Ｓｙｎｃｈｒｏｎｏｕｓ  Ｓｉｇｎａｌ）
図６はＬＴＥ／ＬＴＥ−Ａシステムにおいてセル探索（ｃｅｌｌ  ｓｅａｒｃｈ）に使われる同期信号であるＰＳＳ及びＳＳＳを説明するための図である。ＰＳＳ及びＳＳＳを説明するに先立ち、セル探索に対して調べると、セル探索は、端末が最初にセルに接続する場合、現在接続されているセルから他のセルにハンドオーバーを行う場合、又はセル再選択（Ｃｅｌｌ  ｒｅｓｅｌｅｃｔｉｏｎ）の場合などのために遂行するもので、セルに対する周波数及びシンボル同期獲得、セルの下りリンクフレーム同期獲得及びセル識別子（ＮＩＤＣｅｌｌ）の決定でなることができる。セル識別子は三つが一つのセルグループを成し、セルグループは１６８個が存在することができる。
【００６９】
セル探索のために、基地局ではＰＳＳ及びＳＳＳを送信する。端末は、ＰＳＳを検出して、セルの５ｍｓタイミングを取得し、セルグループ内のセル識別子に対して知ることができる。また、端末は、ＳＳＳを検出してラジオフレームタイミング及びセルグループが分かる。
【００７０】
図６を参照すると、ＰＳＳは、０番及び５番サブフレームで送信され、より詳細には、０番及び５番サブフレームにおいて最初のスロットの最後のＯＦＤＭシンボルで送信される。また、ＳＳＳは、０番及び５番サブフレームの最初のスロットの最後から２番目のＯＦＤＭシンボルで送信される。すなわち、ＳＳＳは、ＰＳＳが送信される直前のＯＦＤＭシンボルで送信される。このような伝送タイミングはＦＤＤの場合であり、ＴＤＤの場合、ＰＳＳは１番及び６番サブフレームの３番目のシンボル、すなわちＤｗＰＴＳで送信され、ＳＳＳは０番及び５番サブフレームの最後のシンボルで送信される。すなわち、ＴＤＤにおいて、ＳＳＳは、ＰＳＳよりも３シンボルの前で送信される。
【００７１】
ＰＳＳは、長さ６３のザドフチュー（Ｚａｄｏｆｆ−Ｃｈｕ）シーケンスであり、実際の伝送においては、シーケンスの両端に０がパッディングされ、シーケンスがシステム周波数帯域幅の中央の７３個の副搬送波（ＤＣ副搬送波を除けば７２個の副搬送波、すなわち、６ＲＢ）上に送信される。ＳＳＳは、長さ３１の二つのシーケンスが周波数インターリーブされた長さ６２のシーケンスからなり、ＰＳＳと同様に、全体システム帯域幅の中央の７２個の副搬送波上で送信される。
【００７２】
ＰＢＣＨ（Ｐｈｙｓｉｃａｌ  Ｂｒｏａｄｃａｓｔ  Ｃｈａｎｎｅｌ）
図７は、ＰＢＣＨを説明するための図である。ＰＢＣＨは、主情報ブロック（Ｍａｓｔｅｒ  Ｉｎｆｏｒｍａｔｉｏｎ  Ｂｌｏｃｋ、ＭＩＢ）に該当するシステム情報が伝送されるチャネルであって、端末が上述したＰＳＳ／ＳＳＳを介して下りリンク同期を取得し、セル識別子を取得した後、システム情報を取得するのに使用される。ここで、ＭＩＢには、下りリンクセル帯域幅情報、ＰＨＩＣＨ設定情報、サブフレーム番号（Ｓｙｓｔｅｍ  Ｆｒａｍｅ  Ｎｕｍｂｅｒ、ＳＦＮ）などが含まれてもよい。
【００７３】
ＭＩＢは、図７に示したように、一つのＭＩＢ伝送ブロックが、４個の連続した無線フレームにおいてそれぞれ最初のサブフレームを介して伝送される。より詳細に説明すると、ＰＢＣＨは、４個の連続した無線フレームにおいて０番サブフレームの２番目のスロットの先頭４個のＯＦＤＭシンボルで伝送される。したがって、一つのＭＩＢを伝送するＰＢＣＨは、４０ｍｓの周期で伝送される。ＰＢＣＨは、周波数軸において全体帯域幅の中央の７２個の副搬送波上で伝送され、これは、最も小さい下りリンク帯域幅である６ＲＢに該当するもので、端末が全体システム帯域幅の大きさを知らない場合にも問題なくＢＣＨを復号できるようにするためである。  
【００７４】
初期接続手順（Ｉｎｉｔｉａｌ  Ａｃｃｅｓｓ）
図８は３ＧＰＰシステムに用いられる初期接続手順及び物理チャネルを用いた信号送受信方法を説明するための図である。
【００７５】
ＵＥは、電源がオンされるか新たにセルに進入した場合、基地局と同期を合わせるなどの初期セル探索（Ｉｎｉｔｉａｌ  ｃｅｌｌ  ｓｅａｒｃｈ）作業を遂行する（Ｓ３０１）。このために、ＵＥは基地局からＰＳＳ及びＳＳＳを受信して基地局と同期を合わせ、セルＩＤなどの情報を獲得することができる。その後、ＵＥは基地局からＰＢＣＨ（Ｐｈｙｓｉｃａｌ  Ｂｒｏａｄｃａｓｔ  Ｃｈａｎｎｅｌ）を受信してセル内放送情報を獲得することができる。一方、ＵＥは初期セル探索段階で下りリンク参照信号（Ｄｏｗｎｌｉｎｋ  Ｒｅｆｅｒｅｎｃｅ  Ｓｉｇｎａｌ；ＤＬ  ＲＳ）を受信して下りリンクチャネル状態を確認することができる。
【００７６】
初期セル探索を終えたＵＥは、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び前記ＰＤＣＣＨに含まれた情報によって物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することにより、より具体的なシステム情報を獲得することができる（Ｓ３０２）。
【００７７】
一方、基地局に最初に接続するかあるいは信号伝送のための無線リソースがない場合、ＵＥは基地局に対して任意の接続過程（Ｒａｎｄｏｍ  Ａｃｃｅｓｓ  Ｐｒｏｃｅｄｕｒｅ；ＲＡＣＨ）を遂行することができる（段階Ｓ３０３〜段階Ｓ３０６）。このために、ＵＥは、物理任意接続チャネル（Ｐｈｙｓｉｃａｌ  Ｒａｎｄｏｍ  Ａｃｃｅｓｓ  Ｃｈａｎｎｅｌ；ＰＲＡＣＨ）を介して特定のシーケンスをプリアンブルに送信し（Ｓ３０３及びＳ３０５）、ＰＤＣＣＨ及び対応ＰＤＳＣＨを介してプリアンブルに対する応答メッセージを受信することができる（Ｓ３０４及びＳ３０６）。競争基盤ＲＡＣＨの場合、さらに衝突解決手順（Ｃｏｎｔｅｎｔｉｏｎ  Ｒｅｓｏｌｕｔｉｏｎ  Ｐｒｏｃｅｄｕｒｅ）を遂行することができる。
【００７８】
上述したような手順を遂行したＵＥは、以後に一般的な上り／下りリンク信号伝送手順としてＰＤＣＣＨ／ＰＤＳＣＨ受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）伝送（Ｓ３０８）を遂行することができる。特に、ＵＥはＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩはＵＥに対するリソース割当て情報のような制御情報を含み、その使用目的によってフォーマットが互いに違う。
【００７９】
一方、ＵＥが上りリンクを介して基地局に送信するかあるいはＵＥが基地局から受信する制御情報は下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、ＵＥは上述したＣＱＩ／ＰＭＩ／ＲＩなどの制御情報をＰＵＳＣＨ及び／又はＰＵＣＣＨを介して送信することができる。
【００８０】
Ｄ２Ｄ（Ｄｅｖｉｃｅ  ｔｏ  ｄｅｖｉｃｅ）ＵＥの同期獲得
以下では上述した説明及び既存ＬＴＥ／ＬＴＥ−Ａシステムに基づき、Ｄ２Ｄ通信においてＤ２Ｄ  ＵＥ間の同期獲得について説明する。Ｄ２ＤはＵＥ間の直接通信を意味するもので、‘Ｄ２Ｄ’の用語は‘サイドリンク（Ｓｉｄｅｌｉｎｋ）’の用語に取り替えるか混用することができる。Ｄ２Ｄ  ＵＥは、Ｄ２Ｄを支援するＵＥを意味する。ＯＦＤＭシステムにおいては、時間／周波数同期が合わない場合、セル間の干渉（Ｉｎｔｅｒ−Ｃｅｌｌ  Ｉｎｔｅｒｆｅｒｅｎｃｅ）によってＯＦＤＭ信号で相異なるＵＥの間でマルチプレックシングが不可能になることがあり得る。同期を合わせるために、Ｄ２Ｄ  ＵＥが直接同期信号を送受信し、全てのＤ２Ｄ  ＵＥが個別的に同期を合わせることは非効率的である。したがって、Ｄ２Ｄのような分散ノードシステムでは、特定のノードが代表同期信号を送信し、残りのＤ２Ｄ  ＵＥがこれと同期を合わせることができる。言い換えれば、Ｄ２Ｄ信号送受信のために、一部のノードが（例えば、ｅＮＢ、ＵＥ、ｓｙｎｃｈｒｏｎｉｚａｔｉｏｎ  ｒｅｆｅｒｅｎｃｅ  ｎｏｄｅ又はｓｙｎｃｈｒｏｎｉｚａｔｉｏｎ  ｓｏｕｒｃｅ）周期的にＤ２ＤＳＳ（Ｄ２Ｄ  Ｓｙｎｃｈｒｏｎｉｚａｔｉｏｎ  Ｓｉｇｎａｌ）を送信し、残りのＤ２Ｄ  ＵＥがこれと同期を合わせて信号を送受信する方式を用いることができる。
【００８１】
Ｄ２ＤＳＳの伝送周期は４０ｍｓより小さくなく、サブフレームで一つ以上のシンボルがＤ２ＤＳＳの伝送に使われることができる。
【００８２】
Ｄ２ＤＳＳはＰＤ２ＤＳＳ（Ｐｒｉｍａｒｙ  Ｄ２ＤＳＳ）及びＳＤ２ＤＳＳ（Ｓｅｃｏｎｄａｒｙ  Ｄ２ＤＳＳ）を含むことができる。‘ＰＤ２ＤＳＳ’の用語は‘ＰＳＳＳ（Ｐｒｉｍａｒｙ  Ｓｉｄｅｌｉｎｋ  ｓｙｎｃｈｒｏｎｉｚａｔｉｏｎ  ｓｉｇｎａｌ）’の用語に取り替えるか混用することができ、‘ＳＤ２ＤＳＳ’の用語は‘ＳＳＳＳ（Ｓｅｃｏｎｄａｒｙ  Ｓｉｄｅｌｉｎｋ  ｓｙｎｃｈｒｏｎｉｚａｔｉｏｎ  ｓｉｇｎａｌ）’の用語に取り替えるか混用することができる。ＰＤ２ＤＳＳは所定長さのザドフチューシーケンス（Ｚａｄｏｆｆ−ｃｈｕ  ｓｅｑｕｅｎｃｅ）であるかあるいはＰＳＳの類似／変形／繰返しの構造などであってもよい。ＳＤ２ＤＳＳはＭ−シーケンス又はＳＳＳの類似／変形／繰返しの構造などであってもよい。
【００８３】
Ｄ２Ｄ  ＵＥがＤ２Ｄ同期ソースを選択するに際して、同じ優先順位基準が適用されなければならない。カバレージ外の状況で全ての受信されたＤ２ＤＳＳの信号強度が前もって設定された値以下の場合、Ｄ２Ｄ  ＵＥそのものが同期ソースになることができる。そして、カバレージ内の状況でｅＮＢの指示によってＤ２Ｄ  ＵＥが同期ソースに設定されることができる。仮に、Ｄ２Ｄ  ＵＥがｅＮＢから同期を合わせる場合、同期ソースはｅＮＢであってもよく、Ｄ２ＤＳＳはＰＳＳ／ＳＳＳであってもよい。ｅＮＢから誘導された同期ソースのＤ２ＤＳＳはｅＮＢから誘導されなかった同期ソースのＤ２ＤＳＳと違っても良い。
【００８４】
ＰＤ２ＤＳＣＨ（Ｐｈｙｓｉｃａｌ  Ｄ２Ｄ  ｓｙｎｃｈｒｏｎｉｚａｔｉｏｎ  ｃｈａｎｎｅｌ）はＤ２Ｄ信号送受信の前にＤ２Ｄ  ＵＥが一番先に知らなければならない基本となるシステム情報（例えば、Ｄ２ＤＳＳについての情報、デュプレックスモード（Ｄｕｐｌｅｘ  Ｍｏｄｅ、ＤＭ）、ＴＤＤ  ＵＬ／ＤＬ構成、リソースプール関連情報、Ｄ２ＤＳＳに関連したアプリケーションの種類など）が送信される放送チャネルであってもよい。‘ＰＤ２ＤＳＣＨ’の用語は‘ＰＳＢＣＨ（Ｐｈｙｓｉｃａｌ  Ｓｉｄｅｌｉｎｋ  Ｂｒｏａｄｃａｓｔ  ＣＨａｎｎｅｌ）’の用語として呼ばれることができる。ＰＤ２ＤＳＣＨはＤ２ＤＳＳと同一のサブフレーム上で送信されることができる。
【００８５】
Ｄ２ＤＳＳは特定のシーケンス形態であってもよく、ＰＤ２ＤＳＣＨは特定の情報を示すシーケンスであるかあるいは前もって決まったチャネルコーディングを受けた後のコードワード形態であってもよい。ここで、ＳＲＮはｅＮＢ又はＤ２Ｄ  ＵＥとなることができる。部分ネットワークカバレージ（ｐａｒｔｉａｌ  ｎｅｔｗｏｒｋ  ｃｏｖｅｒａｇｅ）又はカバレージ外（ｏｕｔ  ｏｆ  ｎｅｔｗｏｒｋ  ｃｏｖｅｒａｇｅ）の場合にはＤ２Ｄ  ＵＥが同期ソースとなることができる。
【００８６】
図９のような状況で、カバレージ外（ｏｕｔ  ｏｆ  ｃｏｖｅｒａｇｅ）端末とのＤ２Ｄ通信のためにＤ２ＤＳＳはリレーされることができる。また、Ｄ２ＤＳＳは多重ホップによってリレーされることができる。以下の説明で、同期信号をリレーするとは直接基地局の同期信号をＡＦリレーすることだけではなく、同期信号受信時点に合わせて別個のフォーマットのＤ２Ｄ同期信号を送信することも含む概念である。このように、Ｄ２Ｄ同期信号がリレーされることにより、カバレージ内のＤ２Ｄ  ＵＥとカバレージ外のＤ２Ｄ  ＵＥが直接通信を遂行することができる。
【００８７】
Ｄ２Ｄ同期信号の生成
上述したように、Ｄ２Ｄ動作はＬＴＥ／ＬＴＥ−Ａシステムを基にして構成され、ＰＤ２ＤＳＳ及びＳＤ２ＤＳＳもＬＴＥ／ＬＴＥ−ＡのＰＳＳ／ＳＳＳを基にして生成される。以下では、ＰＤ２ＤＳＳシーケンスの生成及び伝送に対してより詳細に調べる。
【００８８】
ＬＴＥ／ＬＴＥ−Ａでの基地局が送信するＰＳＳのシーケンスは数式１２のように生成される。
【数１２】
0006325739.tif 000035
【００８９】
数式１２で、ｕはザドフチュー（Ｚａｄｏｆｆ−Ｃｈｕ）シーケンスのルートインデックスである。ルートインデックスｕは｛２５，２９，３４｝の中で一つが選択され、選択された値に基づいて物理セルＩＤ（ＮＩＤＣｅｌｌ）が生成される。より具体的に、物理セルＩＤ  ＮＩＤＣｅｌｌ＝３ＮＩＤ（１）＋ＮＩＤ（２）として与えられる。ＮＩＤ（１）はＳＳＳシーケンスから導出される０〜１６７の中で一つの数であり、ＮＩＤ（２）はＰＳＳシーケンスから導出される０〜２の中で一つの数である。ＮＩＤ（２）＝０、１、２はそれぞれルートインデックス｛２５，２９，３４｝と対応する。
【００９０】
ＰＳＳ生成に使われるルートインデックスのセット｛２５，２９，３４｝はＰＡＰＲ（Ｐｅａｋ−ｔｏ−Ａｖｅｒａｇｅ  Ｐｏｗｅｒ  Ｒａｔｉｏ）、キュービックメトリック（Ｃｕｂｉｃ  ｍｅｔｒｉｃ）、周波数オフセット敏感度（ｆｒｅｑｕｅｎｃｙ  ｏｆｆｓｅｔ  ｓｅｎｓｉｔｉｖｉｔｙ）などを考慮して選択された。ルートインデックスの中で２９と３４はザドフチューシーケンスの特性上、時間ドメインでルート対称属性（ｒｏｏｔ  ｓｙｍｍｅｔｒｙ  ｐｒｏｐｅｒｔｙ）を有するので、ルートインデックス２９と３４によって生成されるシーケンスの各値は同一位置で複素共役（ｃｏｍｐｌｅｘ  ｃｏｎｊｕｇａｔｅ）の形態として現れる。すなわち、ルートインデックスの和がザドフチューシーケンスの長さと同一である一対のルートインデックスは複素共役（ｃｏｍｐｌｅｘ  ｃｏｎｊｕｇａｔｅ）の特性を有する。したがって、一対の中でいずれか一つのルートインデックスのみを用いても他の一つのルートインデックスによって生成されたシーケンスまで検出されることができ、受信機の相関器複雑度（ｃｏｒｒｅｌａｔｏｒ  ｃｏｍｐｌｅｘｉｔｙ）が低減することができる。
【００９１】
ＰＤ２ＤＳＳ／ＳＤ２ＤＳＳはＬＴＥ  ＰＳＳ／ＳＳＳを基にして構成されることができる。例えば、ＬＴＥのＰＳＳシーケンスを生成する数式１２がＰＤ２ＤＳＳを生成するために再使用されることができる。生成されたＬＴＥのＰＳＳのシーケンスはｅＮＢによってＤＬリソースから送信されるが、Ｄ２Ｄ  ｃｏｍｍｕｎｉｃａｔｉｏｎがＵＬリソース上で遂行されるので、ＰＤ２ＤＳＳは同期ソースによってＵＬリソースから送信される。
【００９２】
一方、ＬＴＥのＰＳＳシーケンスを生成する数式１２をＰＤ２ＤＳＳを生成するために再使用するとき、ＰＳＳのルートインデックス２５、２９、３４まで再使用することができるかが問題となる。ＦＤＤの場合、ＰＳＳのルートインデックスをそのまま使っても、ＵＬリソースとＤＬリソースの周波数帯域が互いに異なるので、ＰＤ２ＤＳＳとＰＳＳのシンボルの位置などを違って構成すれば、ＰＳＳ及びＰＤ２ＤＳＳのそれぞれを検出するのに問題が発生しない。
【００９３】
しかし、ＴＤＤの場合、ＬＴＥ  ＰＳＳのルートインデックスをそのまま再使用する場合、ＬＴＥを支援するがＤ２Ｄは支援しないレガシーＵＥが誤動作することもある。例えば、ｅＮＢに初期接続しようとするレガシーＵＥはＴＤＤのＵＬ−ＤＬサブフレーム設定が分からないので、ＵＬリソースに属するサブフレームとＤＬリソースに属するサブフレームを時間的に区別することができない。よって、レガシーＵＥが初期接続（ｉｎｉｔｉａｌ  ａｃｃｅｓｓ）などのためにＰＳＳ／ＳＳＳの検出を試みるとき、レガシーＵＥはＵＬ／ＤＬの時間的区別なしでサブフレームを連続的にモニタする。この時、レガシーＵＥの周りにＤ２Ｄ同期ソース（ｓｙｎｃｈｒｏｎｉｚａｔｉｏｎ  ｓｏｕｒｃｅ）として動作するＤ２Ｄ  ＵＥがあれば、相対的に受信電力が高いＤ２Ｄ  ＵＥのＰＤ２ＤＳＳを検出し、ｅＮＢから送信されるＰＳＳ／ＳＳＳを検出することができることがあり得る。このような誤動作を防止するために、ＰＤ２ＤＳＳシーケンスのルートインデックスはＬＴＥのＰＳＳシーケンスのルートインデックスと違って定義することが好ましい。
【００９４】
以上の論議に基づき、ＰＤ２ＤＳＳシーケンスの生成に使われるルートインデックスを設定する実施例をより詳細に調べる。
【００９５】
単一ＰＤ２ＤＳＳルートインデックスを定義する実施例
本実施例では、ＰＤ２ＤＳＳのために単一ルートインデックスを定義する。例えば、ＰＤ２ＤＳＳのルートインデックスは３８のみが使える。既存のＬＴＥは、３セクター（ｓｅｃｔｏｒｓ）を仮定し、各セクター別に一つのＰＳＳルートインデックスを割り当てたが、Ｄ２Ｄ通信ではセクターの区別が不要であることもある。また、相関器がＰＤ２ＤＳＳを検出するとき、ＰＤ２ＤＳＳルートインデックスの候補個数が少ないほど良い性能を期待することができるため、一つのＰＤ２ＤＳＳルートインデックスのみを定義することが複雑度を低減する側面で有利である。ルートインデックス３８は既存ＬＴＥ  ＰＳＳルートインデックス２５と対（ｐａｉｒ）を成す。すなわち、時間ドメインでルートインデックス３８と２５はルート対称属性（ｒｏｏｔ  ｓｙｍｍｅｔｒｙ  ｐｒｏｐｅｒｔｙ）を有するため、相関（ｃｏｒｒｅｌａｔｉｏｎ）計算の複雑度（ｃｏｍｐｌｅｘｉｔｙ）が低減することができる。
【００９６】
例えば、ＴＤＤシステムにおいて、Ｄ２Ｄ  ＵＥは初期接続（ｉｎｉｔｉａｌ  ａｃｃｅｓｓ）の際、ＰＳＳに対するルートインデックス｛２５，２９，３４｝に基づいて相関（ｃｏｒｒｅｌａｔｉｏｎ）を遂行する。ルートインデックス２５に対する相関を遂行するとき、ルートインデックス３８に対する相関が一緒に導出されることができる。この場合、カバレージ外に位置する（ｏｕｔ−ｏｆ−ｃｏｖｅｒａｇｅ）Ｄ２Ｄ  ＵＥはセル同期化及びＤ２Ｄ同期化を複雑度の大きな増加なしで同時に遂行することができる。
【００９７】
二つのＰＤ２ＤＳＳルートインデックスを定義する実施例
本実施例では、ＰＤ２ＤＳＳのために二つのルートインデックスを定義する。二つのルートインデックスの中で第１ルートインデックスはカバレージ内に位置する（ｉｎ−ｃｏｖｅｒａｇｅ）同期ソースＤ２Ｄ  ＵＥのＰＤ２ＤＳＳに対応し、第２ルートインデックスはカバレージ外に位置する（ｏｕｔ−ｏｆ−ｃｏｖｅｒａｇｅ）同期ソースＤ２Ｄ  ＵＥのＰＤ２ＤＳＳに対応することができる。
【００９８】
二つのルートインデックスはＰＡＰＲ、キュービックメトリック（Ｃｕｂｉｃ  ｍｅｔｒｉｃ）、周波数オフセット敏感度（ｆｒｅｑｕｅｎｃｙ  ｏｆｆｓｅｔ  ｓｅｎｓｉｔｉｖｉｔｙ）などを考慮して選択することができ、一例として２２、２６、３７の中で選択することができる。この時、ルートインデックス２６とルートインデックス３７は和がザドフチューシーケンスの長さ６３に相当するので、時間ドメイン上で互いにルート対称属性を有する。
【００９９】
Ｄ２Ｄ  ＵＥは、二つのルートインデックスの中でカバレージ内（ｉｎ−ｃｏｖｅｒａｇｅ）のルートインデックスを優先的に使ってＰＤ２ＤＳＳの検出を試みることができる。カバレージ内（ｉｎ−ｃｏｖｅｒａｇｅ）のルートインデックスを使ったＰＤ２ＤＳＳの検出が失敗する場合、Ｄ２Ｄ  ＵＥはカバレージ外（ｏｕｔ−ｏｆ−ｃｏｖｅｒａｇｅ）のルートインデックスを使ってＰＤ２ＤＳＳの検出を試みることができる。
【０１００】
一方、一実施例によると、二つのルートインデックスは｛３８，Ｍ｝に定義することができる。この際、ルートインデックス３８はカバレージ内（ｉｎ−ｃｏｖｅｒａｇｅ）の用途に使うことができる。ルートインデックス３８と対を成すＰＳＳルートインデックス２５が既存のＬＴＥで定義されている。よって、カバレージ内でＤ２Ｄ  ＵＥはＰＳＳルートインデックス２５を使って相関を遂行することにより、ルートインデックス３８に基づくＰＤ２ＤＳＳを一緒に検出することができる。このように、ルートインデックス３８をカバレージ内の用途に使えば、Ｄ２Ｄ  ＵＥは相対的に低い複雑度を維持しながらＰＳＳとＰＤ２ＤＳＳの検出を同時に遂行することができる利点がある。ルートインデックス３８の外に他の一つのルートインデックスＭは、例えば２２、２６又は３７であってもよい。
【０１０１】
三つのＰＤ２ＤＳＳルートインデックスを定義する実施例
本実施例では、ＰＤ２ＤＳＳのために三つのルートインデックスを定義する。既存ＬＴＥのＰＳＳのように三つのＰＤ２ＤＳＳルートインデックスを定義することができる。例えば、ＰＳＳのルートインデックス２５とルート対称属性（ｒｏｏｔ  ｓｙｍｍｅｔｒｙ  ｐｒｏｐｅｒｔｙ）を有するルートインデックス３８が三つのＰＤ２ＤＳＳルートインデックスの第１ルートインデックスであってもよい。三つのＰＤ２ＤＳＳルートインデックスの中で第２ルートインデックス及び第３ルートインデックスは互いにルート対称属性を有することが好ましい。例えば、第２ルートインデックス及び第３ルートインデックスはそれぞれ２６及び３７であってもよい。
【０１０２】
ＰＤ２ＤＳＳのルートインデックスを｛３８，２６，３７｝で構成する場合、ＬＴＥ  ＰＳＳと関係ないルートインデックスを選択する場合に比べ、受信機の相関複雑度（ｃｏｒｒｅｌａｔｉｏｎ  ｃｏｍｐｌｅｘｉｔｙ）が減少する。例えば、一つのルートインデックスに対する相関（ｃｏｒｒｅｌａｔｉｏｎ）の複雑度を１であると仮定し、ルート対称属性（ｒｏｏｔ  ｓｙｍｍｅｔｒｙ  ｐｒｏｐｅｒｔｙ）を有するルートインデックス（ｒｏｏｔ  ｉｎｄｅｘ）に対する相関複雑度を無視することができる水準であると仮定する。セル同期化（ｃｅｌｌ  ｓｙｎｃｈｒｏｎｉｚａｔｉｏｎ）のみ遂行する場合、すなわちＰＳＳのみ検出する場合の複雑度は２となる（すなわち、‘ルートインデックス２５に対する相関複雑度１’＋‘ルートインデックス対（２９、３４）に対する相関複雑度１’）。セル同期化とＤ２Ｄ同期化を同時に遂行する場合、複雑度は３となる（すなわち、‘ルートインデックス対（２９、３４）に対する相関複雑度１’＋‘ルートインデックス対（２５、３８）に対する相関複雑度１’＋‘ルートインデックス対（２６、２７）に対する相関複雑度１’）。したがって、ＰＳＳに関係ないルートインデックスに基づいて動作する場合に比べ、２５％の複雑度が減少する。
【０１０３】
ＩＮ／ＯＵＴ  ＮＥＴＷＯＲＫ  ＣＯＶＥＲＡＧＥのＤ２ＤＳＳ区分
複数のＰＤ２ＤＳＳルートインデックスを定義する実施例において、Ｄ２Ｄ  ＵＥは、ＰＤ２ＤＳＳルートインデックスによってネットワークカバレージ内の同期ソースからのＤ２ＤＳＳとネットワークカバレージ外の同期ソースからのＤ２ＤＳＳを区分することもできる。例えば、二つのルートインデックスが使われる場合、第１ルートインデックスは同期ソースがカバレージ内に位置する場合に使い、第２ルートインデックスは同期ソースがカバレージ外に位置する場合に使うことができる。
【０１０４】
他の実施例では、Ｄ２Ｄ  ＵＥは１６８個のＩＤの中で選択されたＳＤ２ＤＳＳによってカバレージ内の同期ソースとカバレージ外の同期ソースを区分することもできる。
【０１０５】
また、同期ソースＤ２Ｄ  ＵＥがネットワークカバレージ内／外にあることが分かる場合、カバレージに属するさらに他のＵＥの同期化手順に影響を与えないために、カバレージ内で同期ソースＤ２Ｄ  ＵＥが送信するＰＤ２ＤＳＳのルートインデックスはＬＴＥ  ＰＳＳシーケンスとの相関が低いルートインデックスとして選択されることができる。
【０１０６】
本発明のさらに他の実施例によると、ＰＤ２ＤＳＳのルートインデックスは同期ソースの主体又は同期ソースの主体が送信するＰＤ２ＤＳＳの用途を区分する目的でも使うことができる。例えば、ルートインデックス｛３８，Ｍ｝の中で３８はリレー（ｒｅｌａｙ）の役目をするＤ２Ｄ  ＵＥから送信されるＰＤ２ＤＳＳに使われ、Ｍは一般Ｄ２Ｄ  ＵＥから送信されるＰＤ２ＤＳＳに使われることができる。さらに他の実施例において、３８は公共安全（ｐｕｂｌｉｃ  ｓａｆｅｔｙ）の用途で送信されるＰＤ２ＤＳＳに使われ、Ｍは一般的な用途で送信されるＰＤ２ＤＳＳに使われることができる。
【０１０７】
本発明の実施例による同期信号送受信方法
図１０は本発明の一実施例によるＤ２Ｄを支援する端末が同期信号を送受信する方法の流れを示す。前述した説明と重複する内容は省略する。
【０１０８】
端末はザドフチュー（Ｚａｄｏｆｆ−Ｃｈｕ）シーケンスに対する多数のルートインデックス（ｒｏｏｔ  ｉｎｄｅｘ）を有する第１インデックスセットに基づいてネットワークが送信する第１同期信号の検出を遂行する（１０５）。第１インデックスセットに基づく第１同期信号の検出は、第１インデックスセットによって前もって生成／保存されたザドフチューシーケンスを用いる場合を包括する。第１同期信号は下りリンクリソースにマッピングされたＰＳＳ及びＳＳＳを含むことができる。第１同期信号はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）方式で送信されることができる。第１インデックスセットのルートインデックスの総個数は３であり、ルートインデックス‘２５’、‘２９’及び‘３４’を含むことができる。
【０１０９】
端末は、第１インデックスセットと違う多数のルートインデックスを有する第２インデックスセットに基づいてＤ２Ｄ同期ソース（ｓｙｎｃｈｒｏｎｉｚａｔｉｏｎ  ｓｏｕｒｃｅ）が送信する第２同期信号の検出を遂行する（１１０）。例えば、Ｄ２Ｄ同期ソースはｅＮＢであるかあるいは他のＤ２Ｄ端末であってもよい。第２インデックスセットに基づく第２同期信号の検出は、第２インデックスセットによって前もって生成／保存されたザドフチューシーケンスを用いる場合を包括する。第２同期信号は上りリンクリソースにマッピングされたＰＤ２ＤＳＳ及びＳＤ２ＤＳＳを含むことができる。第２同期信号はＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）方式で送信されることができる。第２インデックスセットのルートインデックスの総個数は、第１インデックスセットのルートインデックスの総個数−１に設定されることができる。例えば、第２インデックスセットのルートインデックスの総個数は２に設定されることができる。第２インデックスセットはルートインデックス‘２６’及び‘３７’を含むことができる。
【０１１０】
一実施例によると、第２インデックスセットに含まれたいずれか一つのルートインデックスはＤ２Ｄ同期ソースがネットワークのカバレージ外に位置することを指示し、第２インデックスセットに含まれた他の一つのルートインデックスはＤ２Ｄ同期ソースがネットワークのカバレージ内に位置することを指示することができる。また、第２インデックスセットに含まれた二つのルートインデックスの和がザドフチューシーケンスの長さに対応するように設定されることができる。
【０１１１】
他の一実施例によると、第２インデックスセットに含まれた多数のルートインデックスの少なくとも一つは前記第１インデックスセットに含まれた多数のルートインデックスの少なくとも一つとルート対称属性（ｒｏｏｔ  ｓｙｍｍｅｔｒｉｃ  ｐｒｏｐｅｒｔｙ）を有する値に設定されることができる。また、２インデックスセットに含まれた多数のルートインデックスの中で第１インデックスセットに含まれた所定のルートインデックスとの和が‘６３’となるルートインデックスはネットワークのカバレージ内で使われることができる。第２インデックスセットに含まれた多数のルートインデックスの中で第１インデックスセットに含まれた所定のルートインデックスとの和が‘６３’ではないルートインデックスはネットワークのカバレージ外で使われることができる。
【０１１２】
一方、第２同期信号の検出は、第１同期信号の検出が失敗する場合又は第１同期信号の検出に成功した後にネットワークカバレージを離脱した場合などに遂行されることができるが、これに限定されない。
【０１１３】
端末が第２同期信号の検出に成功すれば（１１５）、端末は第２同期信号を送信したＤ２Ｄ同期ソースとの同期化を遂行する（１２０）。
【０１１４】
端末が第２同期信号の検出に失敗すれば（１１５）、端末は第２インデックスセットのいずれか一つのルートインデックスを選択して第２同期信号を生成する（１２５）。例えば、端末は、自分がネットワークのカバレージ外に位置するかそれともネットワークのカバレージ内に位置するかによって第２インデックスセットからいずれか一つのルートインデックスを選択することができる。端末がネットワークカバレージ外に位置する場合、第２インデックスセットに含まれた第１ルートインデックスを用いて第２同期信号を生成し、端末がネットワークのカバレージ内に位置する場合、第２インデックスセットに含まれた第２ルートインデックスを用いて第２同期信号を生成することができる。
【０１１５】
端末は生成された第２同期信号を送信する（１３０）。
【０１１６】
図示の実施例では、端末が第１同期信号及び／又は第２同期信号の検出が失敗する場合に第２同期信号を生成して送信するものとして例示されたが、これに限定されない。他の実施例によると、端末は、第１同期信号の検出が成功し、基地局との同期化を遂行した後、基地局の指示に従って第２同期信号を生成して送信することもできる。
【０１１７】
本発明の実施例による装置構成
図11は本発明の実施形態による送信ポイント装置及び端末装置の構成を示す図である。
【０１１８】
図11を参照すると、本発明による送信ポイント装置１０は、受信モジュール１１、送信モジュール１２、プロセッサ１３、メモリ１４及び複数のアンテナ１５を含むことができる。複数のアンテナ１５は、ＭＩＭＯ送受信を支援する送信ポイント装置を意味する。受信モジュール１１は端末からの上りリンク上の各種の信号、データ及び情報を受信することができる。送信モジュール１２は、端末への下りリンク上の各種の信号、データ及び情報を送信することができる。プロセッサ１３は送信ポイント装置１０の全般動作を制御することができる。
【０１１９】
本発明の一実施例による送信ポイント装置１０のプロセッサ１３は、前述した各実施例の必要な事項を処理することができる
【０１２０】
送信ポイント装置１０のプロセッサ１３は、その外にも送信ポイント装置１０が受信した情報、外部へ送信すべき情報などを演算処理する機能を果たし、メモリ１４は演算処理された情報などを所定時間の間に記憶することができ、バッファー（図示せず）などの構成要素に取り替えられることができる。
【０１２１】
つぎに、図11を参照すると、本発明による端末装置２０は、受信モジュール２１、送信モジュール２２、プロセッサ２３、メモリ２４及び複数のアンテナ２５を含むことができる。複数のアンテナ２５は、ＭＩＭＯ送受信を支援する端末装置を意味する。受信モジュール２１は、基地局からの下りリンク上の各種信号、データ及び情報を受信することができる。送信モジュール２２は、基地局への上りリンク上の各種信号、データ及び情報を送信することができる。プロセッサ２３は端末装置２０の全般動作を制御することができる。
【０１２２】
本発明の一実施例による端末装置２０のプロセッサ２３は前述した各実施例に必要な事項を処理することができる。
【０１２３】
端末装置２０のプロセッサ２３は、その外にも端末装置２０が受信した情報、外部へ送信すべき情報などを演算処理する機能を果たし、メモリ２４は演算処理された情報などを所定時間の間に記憶することができ、バッファー（図示せず）などの構成要素に取り替えられることができる。
【０１２４】
このような送信ポイント装置及び端末装置の具体的な構成は、前述した本発明の多様な実施例で説明した事項が独立的に適用されるかあるいは二つ以上の実施例が同時に適用されるように具現されることができ、重複する内容は明確性のために説明を省略する。
【０１２５】
また、図11についての説明において、送信ポイント装置１０についての説明は下りリンク送信主体又は上りリンク受信主体としての中継器装置にも同様に適用されることができ、端末装置２０についての説明は下りリンク受信主体又は上りリンク送信主体としての中継器装置にも同様に適用されることができる。
【０１２６】
前述した本発明の実施例は多様な手段によって具現されることができる。例えば、本発明の実施例は、ハードウェア、ファームウエア（ｆｉｒｍｗａｒｅ）、ソフトウェア又はそれらの組合せなどによって具現可能である。
【０１２７】
ハードウェアによる具現の場合、本発明の実施例による方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラー、マイクロコントローラー、マイクロプロセッサなどによって具現されることができる。
【０１２８】
ファームウエア又はソフトウェアによる具現の場合、本発明の実施例による方法は、以上で説明した機能又は動作を行うモジュール、手順又は関数などの形態に具現されることができる。ソフトウェアコードはメモリユニットに記憶され、プロセッサによって駆動されることができる。前記メモリユニットは前記プロセッサの内部又は外部に位置し、既に知られた多様な手段によって前記プロセッサとデータを取り交わすことができる。
【０１２９】
前述したように開示された本発明の好適な実施例についての詳細な説明は当業者が本発明を具現して実施することができるように提供された。前記では本発明の好適な実施例を参照して説明したが、当該技術分野の熟練した当業者は本発明の領域から逸脱しない範疇内で本発明を多様に修正及び変更することができることを理解することが可能であろう。例えば、当業者は前述した実施例に記載されたそれぞれの構成を互いに組み合わせる方式で用いることができる。したがって、本発明はここに開示した実施形態に制限されるものではなく、ここに開示した原理及び新規の特徴と一致する最広の範囲を付与しようとするものである。
【０１３０】
本発明は本発明の精神及び必須の特徴を逸脱しない範疇内で他の特定の形態に具体化されることができる。よって、前記の詳細な説明は全ての面で制限的に解釈されてはいけなく、例示的なものに考慮しなければならない。本発明の範囲は添付の請求範囲の合理的解釈によって決まらなければならなく、本発明の等価的範囲内の全ての変更は本発明の範囲に含まれる。本発明はここに開示した実施形態に制限されるものではなく、ここに開示した原理及び新規の特徴と一致する最広の範囲を付与しようとするものである。また、特許請求範囲で明示的引用関係がない請求項を組み合わせて実施例を構成するかあるいは出願後の補正によって新しい請求項として含むことができる。
【産業上の利用可能性】
【０１３１】
上述したような本発明の実施形態は多様な移動通信システムに適用可能である。
【図１】
0006325739.tif 000036
【図２】
0006325739.tif 000037
【図３】
0006325739.tif 000038
【図４】
0006325739.tif 000039
【図５（ａ）】
0006325739.tif 000040
【図５（ｂ）】
0006325739.tif 000041
【図６】
0006325739.tif 000042
【図７】
0006325739.tif 000043
【図８】
0006325739.tif 000044
【図９】
0006325739.tif 000045
【図１０】
0006325739.tif 000046
【図１１】
0006325739.tif 000047